(57)【要約】【課題】撮像時に取得される撮像画像の違和感を低減できる情報端末装置およびプログラムを提供する。【解決手段】情報端末装置１は、筐体の前面に設けられた表示入力部２０と、筐体の前面、かつ、表示入力部２０の周辺に設けられた撮像部１３と、制御部と、を備える。制御部は、撮像時に撮像部１３により取得された撮像画像を表示入力部２０に表示させる場合に、表示領域２１の撮像部１３側の所定範囲２２において撮像画像をカットする。【選択図】図４
2019140646.tif 000002
【特許請求の範囲】
【請求項１】
筐体の前面に設けられた表示部と、
前記筐体の前面、かつ、前記表示部の周辺に設けられた撮像部と、
制御部と、を備え、
前記制御部は、撮像時に前記撮像部により取得された撮像画像を前記表示部に表示させる場合に、表示領域の前記撮像部側の所定範囲において前記撮像画像をカットする、
情報端末装置。
【請求項２】
前記制御部は、撮像時に撮像画像を前記表示部に表示させる場合に、前記表示領域の前記撮像部側の端から所定の距離までの範囲の前記所定範囲において前記撮像画像をカットする、
請求項１に記載の情報端末装置。
【請求項３】
前記表示部は、タッチパネルであり、
前記所定範囲に前記撮像部による撮像を指示するためのシャッターボタンが配置されている、
請求項１または２に記載の情報端末装置。
【請求項４】
前記シャッターボタンは、前記所定範囲内の前記撮像部に接近した位置に配置されている、
請求項３に記載の情報端末装置。
【請求項５】
前記制御部は、撮像した前記撮像画像を記憶部に記憶させた後で表示させる場合に、前記所定範囲をカットした状態で前記撮像画像を前記表示部に表示させる、
請求項１ないし４の何れか一項に記載の情報端末装置。
【請求項６】
前記情報端末装置の向きを検出する検出部を備え、
前記制御部は、前記検出部による検出結果に基づいて、前記所定範囲の幅を設定する、
請求項１ないし５の何れか一項に記載の情報端末装置。
【請求項７】
筐体の前面に設けられた表示部と、前記筐体の前面、かつ、前記表示部の周辺に設けられた撮像部と、を備える情報端末装置に、
撮像時に前記撮像部により取得された撮像画像を前記表示部に表示させる場合に、表示領域の前記撮像部側の所定範囲において前記撮像画像をカットする処理を実行させる、
プログラム。
【請求項８】
前記プログラムがインストールされる前記情報端末装置ごとに、前記所定範囲を規定するための情報が設定されている、
請求項７に記載のプログラム。
【発明の詳細な説明】
【技術分野】
【０００１】
本発明は、撮像部を備える情報端末装置、および撮像部を備える情報端末装置に実行させるプログラムに関する。
【背景技術】
【０００２】
自分自身の撮像、いわゆる自分撮りを手軽に行うことができる携帯端末装置が知られている。たとえば、特許文献１には、端末筐体の前面に設けられたサブカメラ、いわゆるインカメラを備える携帯電話機が記載されている。この携帯電話機のインカメラは、端末筐体を保持するユーザが撮像を行う場合に、ユーザ自身がプレビュー表示中の画像を閲覧できることから、自分撮りに適したカメラである。
【先行技術文献】
【特許文献】
【０００３】
【特許文献１】特開２０１４−４５４０４号公報
【発明の概要】
【発明が解決しようとする課題】
【０００４】
上記のようなインカメラを備える情報端末装置では、ユーザは自分撮りを行う場合、情報端末装置を自分自身の正面に位置付けて持つことが多い。しかしながら、インカメラは一般的に情報端末装置の端部に設けられるため、ユーザが情報端末装置を正面に持つと、インカメラの位置はユーザの正面からずれた位置となる。この場合、撮像時にインカメラにより取得される画像においてユーザが端に寄った状態となるため、ユーザは画像に違和感を覚えてしまう。
【０００５】
かかる課題に鑑み、本発明は、撮像時に取得される撮像画像の違和感を低減できる情報端末装置を提供することを目的とする。
【課題を解決するための手段】
【０００６】
本発明の第１の態様は、情報端末装置に関する。本態様に係る情報端末装置は、筐体の前面に設けられた表示部と、前記筐体の前面、かつ、前記表示部の周辺に設けられた撮像部と、制御部と、を備える。前記制御部は、撮像時に前記撮像部により取得された撮像画像を前記表示部に表示させる場合に、表示領域の前記撮像部側の所定範囲において前記撮像画像をカットする。
【０００７】
ユーザは自分撮りを行う場合、情報端末装置を自分の正面に位置付けて持つことが多い。この場合、カメラの位置はユーザの正面からずれた位置となる。本態様に係る情報端末装置によれば、撮像時に撮像画像が表示部に表示される場合、表示領域の撮像部側の所定範囲において撮像画像がカットされる。表示領域の撮像部側の所定範囲にはユーザが写っていないため、カットされた撮像画像において、ユーザがほぼ中央に位置付けられることになる。よって、自分撮りの際にユーザが撮像画像に覚える違和感を低減できる。
【０００８】
本態様に係る情報端末装置において、前記制御部は、撮像時に撮像画像を前記表示部に表示させる場合に、前記表示領域の前記撮像部側の端から所定の距離までの範囲の前記所定範囲において前記撮像画像をカットするよう構成され得る。こうすると、表示領域においてユーザが写っていない所定範囲が確実に除かれるため、撮像画像の違和感を効果的に低減できる。
【０００９】
本態様に係る情報端末装置において、前記表示部は、タッチパネルであり、前記所定範囲に前記撮像部による撮像を指示するためのシャッターボタンが配置され得る。こうすると、ユーザがシャッターボタンに対してタッチ入力を行う場合に、ユーザの視線が撮像部に近い位置に移動するため、撮像画像に写るユーザの視線が正面を向きやすくなる。これにより、ユーザの自然な表情を撮像できる。
【００１０】
この場合に、前記シャッターボタンは、前記所定範囲内の前記撮像部に接近した位置に配置され得る。こうすると、ユーザの視線がさらに撮像部に近い位置に移動するため、さらにユーザの自然な表情を撮像できる。
【００１１】
本態様に係る情報端末装置において、前記制御部は、撮像した前記撮像画像を記憶部に記憶させた後で表示させる場合に、前記所定範囲をカットした状態で前記撮像画像を前記表示部に表示させるよう構成され得る。こうすると、撮像した撮像画像が閲覧される場合でも、所定範囲がカットされた撮像画像が表示されるため、撮像画像の違和感を低減できる。
【００１２】
本態様に係る情報端末装置は、前記情報端末装置の向きを検出する検出部を備え、前記制御部は、前記検出部による検出結果に基づいて、前記所定範囲の幅を設定するよう構成され得る。撮像画像に対する違和感は、情報端末装置の向きによって変化する。情報端末装置の向きに基づいて所定範囲の幅が設定されると、向きに応じて変化する撮像画像の違和感を低減できる。
【００１３】
本発明の第２の態様は、プログラムに関する。本態様に係るプログラムは、筐体の前面に設けられた表示部と、前記筐体の前面、かつ、前記表示部の周辺に設けられた撮像部と、を備える情報端末装置に、撮像時に前記撮像部により取得された撮像画像を前記表示部に表示させる場合に、表示領域の前記撮像部側の所定範囲において前記撮像画像をカットする処理を実行させる。
【００１４】
本態様に係るプログラムによれば、第１の態様と同様の効果が奏される。
【００１５】
本態様に係るプログラムにおいて、前記プログラムがインストールされる前記情報端末装置ごとに、前記所定範囲を規定するための情報が設定され得る。
【発明の効果】
【００１６】
以上のとおり、本発明によれば、撮像時に取得される撮像画像の違和感を低減できる。
【００１７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１８】
【図１】図１（ａ）は、実施形態に係る情報端末装置の正面図を示す模式図である。図１（ｂ）は、実施形態に係る情報端末装置の構成を示すブロック図である。
【図２】図２（ａ）、（ｃ）は、実施形態に係る横配置の情報端末装置を用いた自分撮りを説明するための図である。図２（ｂ）、（ｄ）は、比較例に係る表示領域内の表示を示す模式図である。
【図３】図３（ａ）、（ｃ）は、実施形態に係る縦配置の情報端末装置を用いた自分撮りを説明するための図である。図３（ｂ）、（ｄ）は、比較例に係る表示領域内の表示を示す模式図である。
【図４】図４（ａ）、（ｂ）は、実施形態に係る情報端末装置が横配置である場合の表示領域内の表示を示す模式図である。
【図５】図５（ａ）、（ｂ）は、実施形態に係る情報端末装置が縦配置である場合の表示領域内の表示を示す模式図である。
【図６】図６（ａ）は、比較例に係るシャッターボタンおよびユーザの視線を示す模式図である。図６（ｂ）は、実施形態に係るシャッターボタンおよびユーザの視線を示す模式図である。
【図７】図７（ａ）は、実施形態に係る撮像時に表示入力部に表示される撮像案内を説明するための図である。図７（ｂ）は、実施形態に係る撮像案内画像の表示内容を説明するための図である。
【図８】図８（ａ）は、実施形態に係る撮像された画像を表示入力部に表示する場合の情報端末装置の処理を説明するための図である。図８（ｂ）は、変更例に係る撮像された画像を表示入力部に表示する場合の情報端末装置の処理を説明するための図である。
【図９】図９（ａ）〜（ｄ）は、変更例に係る表示領域内の表示を示す模式図である。
【発明を実施するための形態】
【００１９】
以下の実施形態は、情報端末装置の一種であるタブレット端末に本発明を適用したものである。なお、本発明は、タブレット端末に限らず、携帯電話機、携帯用ゲーム機、ノートパソコン等、他の種類の情報端末装置に適用されてもよい。
【００２０】
図１（ａ）は、情報端末装置１の正面図である。図１（ａ）には、便宜上、互いに直交するＸＹＺ軸が示されている。Ｘ軸方向は、後述する表示入力部２０の表示領域２１の長辺が延びる方向であり、Ｙ軸方向は、表示領域２１の短辺が延びる方向であり、Ｚ軸方向は、表示領域２１に垂直な方向である。
【００２１】
図１（ａ）に示すように、情報端末装置１は、筐体１０と、撮像部１３と、表示入力部２０と、を備える。表示入力部２０は、画像を表示するとともに、ユーザからの入力を受付可能に構成されており、具体的には、タッチパネルである。表示入力部２０は、筐体１０の前面（Ｚ軸正側の面）に設けられている。表示入力部２０の表示領域２１は、筐体１０の前面中央に位置付けられている。表示入力部２０は、表示領域２１において画像を表示するとともに、表示領域２１においてタッチ入力を受け付ける。表示領域２１は、Ｘ軸方向の長さがＹ軸方向の長さに比べて長くなるように構成されている。
【００２２】
撮像部１３は、筐体１０の前面、かつ、表示入力部２０の周辺に設けられている。具体的には、撮像部１３は、筐体１０の前面において、表示入力部２０のＸ軸正側かつＹ軸正側に設けられている。撮像部１３は、情報端末装置１の前面側に位置する被写体を撮像するためのカメラであり、いわゆるインカメラである。ユーザは、表示入力部２０の表示領域２１に表示されたシャッターボタンに対してタッチ入力を行って、被写体を自分とした撮像を行う。被写体を自分とした撮像は、自分撮りまたは自撮りと呼ばれる。
【００２３】
図１（ｂ）は、情報端末装置１の構成を示すブロック図である。
【００２４】
情報端末装置１は、図１（ａ）に示した撮像部１３と表示入力部２０に加え、制御部１１と、記憶部１２と、加速度センサ１４と、スピーカー１５と、を備える。制御部１１と、記憶部１２と、加速度センサ１４と、スピーカー１５は、図１（ａ）に示す筐体１０内に収容されている。
【００２５】
表示入力部２０は、図示しない平坦かつ透明なカバーと、液晶表示部２０ａと、タッチパッド２０ｂとがＺ軸方向に重ねられた構成となっている。液晶表示部２０ａは、液晶パネルと、液晶パネルを照明するＬＥＤバックライトとを含み、各種の画像を表示する。なお、情報端末装置１には、液晶表示部２０ａ以外の表示部、たとえば、有機ＥＬタイプの表示部が用いられてもよい。タッチパッド２０ｂは、透明であり、液晶表示部２０ａの表示面上に配され、表示領域２１を介してタッチ入力を受け付ける。タッチパッド２０ｂは、静電容量式のタッチパッドである。タッチパッド２０ｂは、タッチ入力が行われると、静電容量の変化に基づいてタッチ入力を検出し、検出信号を出力する。
【００２６】
制御部１１は、ＣＰＵ等の演算処理回路を備え、情報端末装置１の各部から信号を受信し、記憶部１２に記憶されたプログラムに従って、情報端末装置１の各部を制御する。記憶部１２は、ＲＯＭ、ＲＡＭ、フラッシュメモリ等を備え、記憶部１２は、情報端末装置１の各部を制御するためのプログラムと、各種のアプリケーションを実行するためのプログラムとを記憶している。また、記憶部１２は、以下で説明する自分撮りの処理や撮像画像の表示処理を実行するためのプログラム１２ａを記憶している。制御部１１は、プログラム１２ａを実行することにより、自分撮りの処理や撮像画像の表示処理を実行する。
【００２７】
図２（ａ）〜図３（ｄ）を参照して、撮像部１３による自分撮りと、比較例の場合の問題点について説明する。
【００２８】
ユーザは、自分撮りを行う際、表示入力部２０を介して撮像のためのアプリケーションを起動する。これにより、撮像部１３により撮像される撮像画像（プレビュー画像）が、リアルタイムで表示入力部２０の表示領域２１に表示される。そして、ユーザは、表示入力部２０側の面を手前に向けた状態で情報端末装置１を両手で持つ。
【００２９】
図２（ａ）、（ｂ）は、ユーザが、撮像部１３を右上に位置付けて情報端末装置１を持った状態を示す図である。この状態の情報端末装置１の配置は、「横配置（０°回転）」である。このとき、図２（ａ）に示すように、ユーザの顔の位置は、情報端末装置１のほぼ中央に位置付けられ、撮像部１３の撮像範囲のＸ軸負側に寄っている。このため、図２（ｂ）の比較例に示すように、撮像部１３の画角に対応する撮像画像３０が表示入力部２０に表示されると、ユーザの顔の位置は、表示領域２１においてＸ軸負側に寄ってしまう。
【００３０】
図２（ｃ）、（ｄ）は、ユーザが、撮像部１３を左下に位置付けて情報端末装置１を持った状態を示す図である。この状態の情報端末装置１の配置は、「横配置（１８０°回転）」である。このとき、図２（ｃ）に示すように、ユーザの顔の位置は、情報端末装置１のほぼ中央に位置付けられ、撮像部１３の撮像範囲のＸ軸正側に寄っている。このため、図２（ｄ）の比較例に示すように、撮像部１３の画角に対応する撮像画像３０が表示入力部２０に表示されると、ユーザの顔の位置は、表示領域２１においてＸ軸正側に寄ってしまう。
【００３１】
図３（ａ）、（ｂ）は、ユーザが、撮像部１３を左上に位置付けて情報端末装置１を持った状態を示す図である。この状態の情報端末装置１の配置は、「縦配置（２７０°回転）」である。このとき、図３（ａ）に示すように、ユーザの顔の位置は、情報端末装置１のほぼ中央に位置付けられ、撮像部１３の撮像範囲のＹ軸負側に寄っている。このため、図３（ｂ）の比較例に示すように、撮像部１３の画角に対応する撮像画像３０が表示入力部２０に表示されると、ユーザの顔の位置は、表示領域２１においてＹ軸負側に寄ってしまう。
【００３２】
図３（ｃ）、（ｄ）は、ユーザが、撮像部１３を右下に位置付けて情報端末装置１を持った状態を示す図である。この状態の情報端末装置１の配置は、「縦配置（９０°回転）」である。このとき、図３（ｃ）に示すように、ユーザの顔の位置は、情報端末装置１のほぼ中央に位置付けられ、撮像部１３の撮像範囲のＹ軸正側に寄っている。このため、図３（ｄ）の比較例に示すように、撮像部１３の画角に対応する撮像画像３０が表示入力部２０に表示されると、ユーザの顔の位置は、表示領域２１においてＹ軸正側に寄ってしまう。
【００３３】
図２（ａ）〜図３（ｄ）に示したように、ユーザは自分撮りを行う場合、情報端末装置１を自分の正面に位置付けて持つことが多い。この場合、上述したように撮像部１３の位置はユーザの正面からずれた位置となるため、表示領域２１おけるユーザの位置も中央からずれた位置となる。このように、ユーザの位置が表示領域２１において中央からずれた位置となると、自分撮りを行うユーザは、表示領域２１に表示される撮像画像３０に違和感を覚えてしまう。
【００３４】
そこで、実施形態では、以下の図４（ａ）〜図５（ｂ）に示すように、撮像部１３の画角に対応する撮像画像３０ではなく、撮像画像３０の一部である撮像画像３１が表示入力部２０に表示される。
【００３５】
図４（ａ）は、撮像部１３が右上に位置付けられた状態（横配置、０°回転）を示す図であり、図４（ｂ）は、撮像部１３が左下に位置付けられた状態（横配置、１８０°回転）を示す図であり、図５（ａ）は、撮像部１３が左上に位置付けられた状態（縦配置、２７０°回転）を示す図であり、図５（ｂ）は、撮像部１３が右下に位置付けられた状態（縦配置、９０°回転）を示す図である。
【００３６】
図４（ａ）〜図５（ｂ）に示すいずれの場合も、表示領域２１において撮像部１３側に位置する領域に所定範囲２２が設けられる。そして、情報端末装置１の制御部１１は、撮像部１３により取得された撮像画像３０を所定範囲２２においてカットすることにより、表示領域２１に撮像画像３１を表示する。表示領域２１の所定範囲２２は、撮像画像３０から所定範囲２２がカットされたことが分かるよう、たとえば黒色の画像が表示される。これにより、図４（ａ）〜図５（ｂ）に示すいずれの場合も、撮像画像３１においてユーザがほぼ中央に位置付けられることになるため、自分撮りを行うユーザが覚える違和感が低減される。
【００３７】
制御部１１は、所定範囲２２を規定するための情報（以下、「規定情報」と称する）に基づいて、所定範囲２２を設定する。規定情報は、たとえば、表示領域２１の撮像部１３側の端から所定範囲２２の範囲を規定する距離である。記憶部１２は、規定情報をあらかじめ記憶しており、制御部１１は、記憶部１２から規定情報を読み出して、所定範囲２２を設定する。
【００３８】
なお、規定情報は、表示領域２１において所定範囲２２を規定する長方形の頂点の座標情報や、表示領域２１の撮像部１３側の端からの距離に対応した幅（ピクセル数）であってもよい。また、図２（ｂ）、（ｄ）および図３（ｂ）、（ｄ）に示した表示領域２１におけるユーザの位置のずれは、情報端末装置１の中心から撮像部１３までの距離や撮像部１３の画角などに応じて変化する。したがって、規定情報は、情報端末装置１の中心から撮像部１３までの距離や撮像部１３の画角などであってもよい。
【００３９】
また、所定範囲２２には、図４（ａ）〜図５（ｂ）に示すように、シャッターボタン４０が配置されている。シャッターボタン４０は、撮像部１３による撮像を指示するためのボタンであり、所定範囲２２において撮像部１３に接近した位置に配置されている。
【００４０】
図６（ａ）は、撮像部１３による撮像を指示するためのシャッターボタン４１が、撮像部１３から離れて配置されている比較例を示す図である。この場合、ユーザが撮像の指示を入力するためにシャッターボタン４１に対してタッチ入力を行うと、視線がシャッターボタン４１に向けられることにより、撮像される画像においてユーザの視線が正面を向かず不自然な状態となってしまう。
【００４１】
一方、実施形態のシャッターボタン４０は、上述したように、撮像部１３に接近した位置に配置される。この場合、図６（ｂ）に示すように、ユーザが撮像の指示を入力するためにシャッターボタン４０に対してタッチ入力を行ったとしても、視線がほぼ撮像部１３に向けられることにより、撮像される画像においてユーザの視線が正面を向き自然な状態となる。
【００４２】
なお、シャッターボタン４０は、所定範囲２２において撮像部１３に接近すればする程、ユーザの視線が撮像部１３に近づくため、より自然な画像を撮像できる。ただし、シャッターボタン４０が撮像部１３に接近するほど、シャッターボタン４０に対するタッチ入力の際に、ユーザの指が撮像部１３の撮像範囲（画角）に入ってしまうおそれがある。したがって、シャッターボタン４０は、タッチ入力の際の指が撮像部１３の撮像範囲（画角）に入らない範囲で撮像部１３に近付けられるのが好ましい。
【００４３】
次に、撮像時に表示入力部２０に表示される撮像案内について説明する。
【００４４】
ユーザが、表示入力部２０を介して撮像のためのアプリケーションを起動すると、制御部１１は、表示入力部２０に、図７（ａ）に示す撮像案内画像５０を表示する。撮像案内画像５０には、図７（ｂ）に示すように、情報端末装置１の持ち方、表示領域２１において表示状態を確認すること、シャッターボタン４０にタッチする際の注意点などが、情報端末装置１の向きに応じて表示される。
【００４５】
この場合、制御部１１は、加速度センサ１４による検出結果に基づいて、情報端末装置１の向きを判定する。たとえば、制御部１１は、情報端末装置１の回転角度が０°以上４５°未満、１３５°以上２２５°未満、および３１５°以上３６０°未満の場合、情報端末装置１の向きが横であると判定し、情報端末装置１の回転角度が４５°以上１３５°未満および２２５°以上３１５°未満の場合、情報端末装置１の向きが縦であると判定する。そして、制御部１１は、情報端末装置１の向きに対応した撮像案内画像５０を表示する。ユーザは、撮像案内画像５０を参照して注意点等を確認した後、閉じるボタンで撮像案内画像５０を閉じ、図７（ａ）の破線で示すように、注意点等に従ってシャッターボタン４０に対してタッチ入力を行う。
【００４６】
なお、撮像案内画像５０が表示されることに代えて、図７（ｂ）に示したような撮像案内に対応する音声が、スピーカー１５から出力されてもよい。この場合も、ユーザは、音声に従うことにより円滑にシャッターボタン４０に対してタッチ入力を行うことができる。
【００４７】
次に、撮像された画像を表示入力部２０に表示する場合の情報端末装置１の処理を説明する。
【００４８】
図８（ａ）に示すように、ユーザが、撮像時にシャッターボタン４０に対してタッチ入力を行うと、情報端末装置１の制御部１１は、タッチ入力が行われたタイミングにおいて、撮像部１３の画角に対応する撮像画像３０を記憶部１２に記憶させる。このとき、制御部１１は、記憶させた撮像画像３０が自撮り画像であることを示す情報を、合わせて記憶部１２に記憶させる。そして、ユーザが、撮像された自撮り画像を表示入力部２０に表示する指示を入力すると、制御部１１は、記憶部１２に記憶した撮像画像３０を、表示入力部２０の表示領域２１に表示する。このとき、制御部１１は、所定範囲２２をカットした状態で、撮像画像３０を表示入力部２０に表示させる。
【００４９】
なお、図８（ｂ）に示すように、撮像時にシャッターボタン４０に対してタッチ入力が行われた場合に、制御部１１は、撮像画像３０から所定範囲２２をカットした撮像画像３１を記憶部１２に記憶させてもよい。この場合、撮像された画像を表示する指示が入力されると、制御部１１は、記憶部１２に記憶した撮像画像３１を、表示入力部２０の表示領域２１の中央に表示する。このとき、撮像画像３１の縦横比は、表示領域２１の縦横比とは異なるため、撮像画像３１の外側の部分には、たとえば黒色の画像が表示される。
【００５０】
＜実施形態の効果＞
実施形態によれば、以下の効果が奏される。
【００５１】
制御部１１は、撮像時に撮像部１３により取得された撮像画像３０（プレビュー画像）を表示入力部２０に表示させる場合、図４（ａ）〜図５（ｂ）に示したように、表示領域２１の撮像部１３側の所定範囲２２において撮像画像３０をカットする。所定範囲２２にはユーザが写っていないため、カットされた撮像画像３１において、ユーザがほぼ中央に位置付けられることになる。よって、自分撮りの際にユーザが撮像画像に覚える違和感を低減できる。
【００５２】
制御部１１は、撮像時に撮像画像３０（プレビュー画像）を表示入力部２０に表示させる場合に、表示領域２１の撮像部１３側の端から所定の距離までの範囲の所定範囲２２において撮像画像３０をカットする。これにより、表示領域２１においてユーザが写っていない所定範囲２２が確実に除かれるため、撮像画像の違和感を効果的に低減できる。
【００５３】
所定範囲２２には、撮像部１３による撮像を指示するためのシャッターボタン４０が配置されている。これにより、ユーザがシャッターボタン４０に対してタッチ入力を行う場合に、ユーザの視線が撮像部１３に近い位置に移動するため、撮像画像３１に写るユーザの視線が正面を向きやすくなる。これにより、ユーザの自然な表情を撮像できる。より詳細には、シャッターボタン４０は、所定範囲２２において撮像部１３に接近した位置に配置されている。これにより、ユーザの視線がさらに撮像部１３に近い位置に移動するため、さらにユーザの自然な表情を撮像できる。
【００５４】
制御部１１は、撮像した撮像画像３０を記憶部１２に記憶させた後で表示させる場合に、図８（ａ）に示したように、所定範囲２２をカットした状態で撮像画像３０を表示入力部２０に表示させる。これにより、撮像した撮像画像３０が閲覧される場合でも、所定範囲２２がカットされた撮像画像３０、すなわち撮像画像３１が表示されるため、撮像画像の違和感を低減できる。
【００５５】
なお、図８（ａ）に示したように撮像画像３０が記憶されると、図８（ｂ）に示したように撮像画像３１が記憶される場合と比べて、撮像後でも、撮像部１３の画角に対応する全体画像（撮像画像３０）を取得できる。これにより、ユーザは、撮像後に被写体の背景の状態等を確認できる。また、図８（ｂ）に示したように撮像画像３１が記憶されると、図８（ａ）に示したように撮像画像３０が記憶される場合と比べて、撮像画像３０のトリミングなどの加工作業を行うことなく、ユーザは、被写体がほぼ中央に写った画像（撮像画像３１）を取得できる。これにより、ユーザは、撮像後に撮像画像３１を友人に送信するなどの二次的な利用を迅速に行うことができる。また、図８（ｂ）の場合、保存される撮像画像３１のファイルサイズが撮像画像３０に比べて小さくなるため、記憶部１２の空き容量の低下を抑制できる。
【００５６】
＜変更例＞
以上、本発明の実施形態について説明したが、本発明は上記実施形態に何ら制限されるものではない。
【００５７】
たとえば、上記実施形態では、所定範囲２２は、長方形形状であったが、これに限らず、長方形形状以外の矩形形状や、曲線を含む形状であってもよい。また、所定範囲２２がカットされた撮像画像３１も、長方形形状であったが、これに限らず、長方形形状以外の矩形形状や、曲線を含む形状であってもよい。
【００５８】
図４（ａ）、（ｂ）に示すように、情報端末装置１が横配置の場合、ユーザの位置は、撮像部１３の画角の中心に対して左右にずれるだけでなく、実際には上下にも僅かにずれる。このため、図４（ａ）、（ｂ）の場合、ユーザの位置は、それぞれ、表示領域２１において下側および上側にずれる。同様に、図５（ａ）、（ｂ）に示すように、情報端末装置１が縦配置の場合、ユーザの位置は、撮像部１３の画角の中心に対して上下にずれるだけでなく、実際には左右にも僅かにずれる。このため、図５（ａ）、（ｂ）の場合、ユーザの位置は、それぞれ、表示領域２１において右側および左側にずれる。
【００５９】
このように、撮像部１３が表示領域２１の頂角付近に設けられると、情報端末装置１がどのように配置されても、ユーザの位置は、表示領域２１において上下および左右のいずれにもずれる。このような場合、図９（ａ）〜（ｄ）の変更例に示すように、所定範囲２２は、２つの長方形を足し合わせた矩形形状に設定されると、上下および左右の位置ずれによる違和感を軽減できる。
【００６０】
すなわち、図９（ａ）の場合、ユーザの位置は、表示領域２１において左下にずれるため、所定範囲２２は、表示領域２１の上側および右側に跨がるように設定される。図９（ｂ）の場合、ユーザの位置は、表示領域２１において右上にずれるため、所定範囲２２は、表示領域２１の下側および左側に跨がるように設定される。図９（ｃ）の場合、ユーザの位置は、表示領域２１において右下にずれるため、所定範囲２２は、表示領域２１の上側および左側に跨がるように設定される。図９（ｄ）の場合、ユーザの位置は、表示領域２１において左上にずれるため、所定範囲２２は、表示領域２１の下側および右側に跨がるように設定される。図９（ａ）〜（ｄ）のいずれの場合においても、カット後の撮像画像３１において、ユーザの位置が中央に位置付けられるようになる。これにより、撮像画像における違和感を効果的に軽減できる。
【００６１】
上記実施形態では、所定範囲２２がカットされた撮像画像３１が、表示領域２１において撮像部１３の反対側に偏った状態で表示された。しかしながら、これに限らず、所定範囲２２がカットされた撮像画像３１は、表示領域２１において、図８（ｂ）の変更例と同様、中央に位置付けられてもよい。
【００６２】
上記実施形態では、図４（ａ）〜図５（ｂ）に示したように、制御部１１は、情報端末装置１の向きにかかわらず、表示領域２１の撮像部１３側において、同様の所定範囲２２を設定した。しかしながら、これに限らず、制御部１１は、情報端末装置１の向きに応じて、所定範囲２２を変更してもよい。
【００６３】
たとえば、図２（ｂ）、（ｄ）に示すように、情報端末装置１が横向きに配置される場合、ユーザの位置が横方向にずれて、ユーザの横側の領域が大きく空くため、表示される撮像画像に違和感が生じやすい。しかしながら、図３（ｂ）、（ｄ）に示すように、情報端末装置１が縦向きに配置される場合、ユーザの位置が縦方向にずれるものの、横向き配置の場合に比べて、表示される撮像画像に違和感が生じにくい。したがって、情報端末装置１が縦向きに配置される場合、表示領域２１の長辺が延びる方向の所定範囲２２の幅が小さく設定されてもよい。
【００６４】
この場合、制御部１１は、加速度センサ１４による検出結果に基づいて、情報端末装置１の向きを判定する。そして、制御部１１は、情報端末装置１の向きが縦である場合、所定範囲２２のＺ軸方向の幅を小さく設定する。これにより、情報端末装置１の向きに応じて変化する撮像画像の違和感を、向きに応じて低減できる。
【００６５】
上記実施形態では、所定範囲２２を規定するための規定情報は、あらかじめ記憶部１２に記憶された。このような規定情報は、プログラム１２ａが情報端末装置１にインストールされる際に、たとえば、情報端末装置１の機種等に応じて設定される。上述したように、表示領域２１におけるユーザの位置のずれは、情報端末装置１の中心から撮像部１３までの距離や撮像部１３の画角などに応じて変化する。したがって、規定情報は、情報端末装置１の機種に応じてあらかじめ記憶部１２に記憶されるのが好ましい。
【００６６】
情報端末装置１の機種に応じた規定情報を、あらかじめ記憶部１２に記憶させる方法としては、たとえば、以下のような方法が挙げられる。プログラム１２ａが当該情報端末装置１の機種にのみ対応したプログラムである場合には、情報端末装置１の出荷前にあらかじめプログラム１２ａが記憶部１２に記憶（インストール）されることにより、機種に対応した規定情報も記憶部１２に記憶される。また、プログラム１２ａが複数の機種に対応した規定情報を含む場合には、情報端末装置１の出荷前にあらかじめプログラム１２ａが記憶部１２に記憶（インストール）され、プログラム１２ａの初回起動時にユーザが機種に対応した規定情報を選択することにより、機種に対応した規定情報が記憶部１２に設定される。また、プログラム１２ａが規定情報を含まない場合には、情報端末装置１の出荷前にあらかじめプログラム１２ａが記憶部１２に記憶（インストール）され、プログラム１２ａの初回起動時に、機種に対応した規定情報がサーバからダウンロードされ設定される。
【００６７】
この他、本発明の実施形態は、特許請求の範囲に示された技術的思想の範囲内において、適宜、種々の変更が可能である。
【符号の説明】
【００６８】
１  情報端末装置
１０  筐体
１１  制御部
１２  記憶部
１２ａ  プログラム
１３  撮像部
１４  加速度センサ（検出部）
２０  表示入力部（表示部）
２１  表示領域
２２  所定範囲
３０  撮像画像
４０  シャッターボタン
【図１】
2019140646.tif 000003
【図２】
2019140646.tif 000004
【図３】
2019140646.tif 000005
【図４】
2019140646.tif 000006
【図５】
2019140646.tif 000007
【図６】
2019140646.tif 000008
【図７】
2019140646.tif 000009
【図８】
2019140646.tif 000010
【図９】
2019140646.tif 000011